(57)【要約】【課題】夜間でも除雪作業を容易に行える照明を備えた手動運搬除雪具を提供すること。【解決手段】バケット体１の左右両端部に、コ字状をなす柄杆２の左右の縦杆部20を付設して、この柄杆２をバケット体１の後端部からコ字状に突設した手動運搬除雪具において、前記柄杆２の後端の横杆部21の中央部に若しくはこの横杆部21の中央部に設けた取付部３に電源４を内装し、この電源４により発光する光源５を前記横杆部21の中央部に露出状態に設けるか若しくはこの横杆部21の中央部に設けた前記取付部３に露出状態に設けて、この露出する光源５により少なくとも除雪作業場所を照らせるように構成した手動運搬除雪具。【選択図】図１
2008138426.tif 000002
【特許請求の範囲】
【請求項１】
バケット体の左右両端部に、コ字状をなす柄杆の左右の縦杆部を付設して、この柄杆をバケット体の後端部からコ字状に突設した手動運搬除雪具において、前記柄杆の後端の横杆部の中央部に若しくはこの横杆部の中央部に設けた取付部に電源を内装し、この電源により発光する光源を前記横杆部の中央部に露出状態に設けるか若しくはこの横杆部の中央部に設けた前記取付部に露出状態に設けて、この露出する光源により少なくとも除雪作業場所を照らせるように構成したことを特徴とする手動運搬除雪具。
【請求項２】
電源を内装すると共にこの電源により発光する光源を露出状態に備えた前記取付部を、前記横杆部の中央部に被嵌せしめたことを特徴とする請求項１記載の手動運搬除雪具。
【請求項３】
前記横杆部の中央部に電源を埋設状態に内装すると共に、この電源により発光する光源を横杆部の中央部に露出状態に設けたことを特徴とする請求項１記載の手動運搬除雪具。
【請求項４】
前記柄杆の少なくとも前記横杆部の左右部を、この柄杆の径よりも径大な径大握持杆部に構成し、この左右の径大握持杆部間の横杆部の中央部若しくはこの左右の径大握持杆部間の横杆部の中央部に設けた前記取付部に、前記電源を内装すると共に前記光源を露出状態に設けたことを特徴とする請求項１〜３のいずれか１項に記載の手動運搬除雪具。
【請求項５】
前記光源は、前記横杆部若しくは前記取付部に対して角度調整自在に設けて、この光源の角度調整により照らす場所を変更可能としたことを特徴とする請求項１〜４のいずれか１項に記載の手動運搬除雪具。
【発明の詳細な説明】
【技術分野】
【０００１】
本発明は、夜間においても除雪作業を行い易い手動運搬除雪具に関するものである。
【背景技術】
【０００２】
従来から、バケット体の左右両端部に、略コ字状をなす柄杆の左右の縦杆部を付設して、この柄杆をバケット体の後端部からコ字状に突設した構造の手動運搬除雪具（例えば、特許文献１参照。）が除雪作業に使用されており、この手動運搬除雪具によれば、スコップなどに比べてバケット体に多量の雪を掬い入れて運搬・排雪することができる。
【０００３】
【特許文献１】特開２００３−２１３６４１号公報
【発明の開示】
【発明が解決しようとする課題】
【０００４】
例えば、共働きの家庭のように、日中に除雪作業が行えない事情の人も多く、このような事情の人々は、夜間に除雪作業を行っている。
【０００５】
しかし、暗い夜間は視界が悪いためになかなか作業が捗らない。
【０００６】
本発明は、このような現状に鑑み、夜間でも除雪作業を容易に行える照明を備えた手動運搬除雪具を提供するものである。
【課題を解決するための手段】
【０００７】
添付図面を参照して本発明の要旨を説明する。
【０００８】
バケット体１の左右両端部に、コ字状をなす柄杆２の左右の縦杆部20を付設して、この柄杆２をバケット体１の後端部からコ字状に突設した手動運搬除雪具において、前記柄杆２の後端の横杆部21の中央部に若しくはこの横杆部21の中央部に設けた取付部３に電源４を内装し、この電源４により発光する光源５を前記横杆部21の中央部に露出状態に設けるか若しくはこの横杆部21の中央部に設けた前記取付部３に露出状態に設けて、この露出する光源５により少なくとも除雪作業場所を照らせるように構成したことを特徴とする手動運搬除雪具に係るものである。
【０００９】
また、電源４を内装すると共にこの電源４により発光する光源５を露出状態に備えた前記取付部３を、前記横杆部21の中央部に被嵌せしめたことを特徴とする請求項１記載の手動運搬除雪具に係るものである。
【００１０】
また、前記横杆部21の中央部に電源４を埋設状態に内装すると共に、この電源４により発光する光源５を横杆部21の中央部に露出状態に設けたことを特徴とする請求項１記載の手動運搬除雪具に係るものである。
【００１１】
また、前記柄杆２の少なくとも前記横杆部21の左右部を、この柄杆２の径よりも径大な径大握持杆部22に構成し、この左右の径大握持杆部22間の横杆部21の中央部若しくはこの左右の径大握持杆部22間の横杆部21の中央部に設けた前記取付部３に、前記電源４を内装すると共に前記光源５を露出状態に設けたことを特徴とする請求項１〜３のいずれか１項に記載の手動運搬除雪具に係るものである。
【００１２】
また、前記光源５は、前記横杆部21若しくは前記取付部３に対して角度調整自在に設けて、この光源５の角度調整により照らす場所を変更可能としたことを特徴とする請求項１〜４のいずれか１項に記載の手動運搬除雪具に係るものである。
【発明の効果】
【００１３】
本発明は上述のように構成したから、光源の発光により夜間でも除雪作業場所の視界を良好に確保できて除雪作業を効率良く行うことができるし、光源の発光が作業者に近づく車両の運転者に視認されることで事故防止にも役立つ実用的な手動運搬除雪具となり、また、電源と光源の双方を横杆部の中央部に配する構成としたため、横杆部の左右部の握持操作に電源や光源が邪魔にならず既製品と同等の操作性を発揮すると共に、電源と光源の配線構造も光源への通電制御構造なども容易に設計可能で実現化が容易となり、しかも、電源を、柄杆の後端の横杆部の中央部に若しくはこの横杆部の中央部に設けた取付部に内装してあるため体裁良好で、尚且つ電源が外方に突出しないためにこの電源を内装する横杆部の中間部若しくは横杆部の中間部に設けた取付部が握りにくくなるようなこともないなど、極めて実用性に秀れた画期的な手動運搬除雪具となる。
【００１４】
また、請求項２記載の発明においては、横杆部の中央部に設けた取付部に電源を内装し、この電源により発光する光源を取付部に露出状態に設ける構成を簡易に設計実現可能となり、しかも、横杆部に取付部を被嵌する構成のため、横杆部に大きな加工を施して強度落ちを招くようなこともなく、強い操作力が作用するこの横杆部の強度を良好に確保できるなど、一層実用性に秀れた構成の手動運搬除雪具となる。
【００１５】
また、請求項３記載の発明においては、横杆部の中央部に電源を内装し、この電源により発光する光源を横杆部の中央部に露出状態に設ける構成を簡易に設計実現可能となる一層実用性に秀れた構成の手動運搬除雪具となる。
【００１６】
また、請求項４記載の発明においては、横杆部の左右部の径大握持杆部は、力を加え易いために力強く操作できる手動運搬除雪具となり、しかも、径大握持杆部間に取付部を設ける場合には、この取付部を径大握持杆部の径寸法に合わせた径寸法にデザインすることで体裁良好となる上、柄杆よりも径大な取付部に設計することでこの取付部への電源の内装構造も光源の設置構造も簡易に設計実現可能となるなど、一層実用性に秀れた構成の手動運搬除雪具となる。
【００１７】
また、請求項５記載の発明においては、光源を角度調整して所望の場所を照らすことができる一層実用性に秀れた構成の手動運搬除雪具となる。
【発明を実施するための最良の形態】
【００１８】
好適と考える本発明の実施形態（発明をどのように実施するか）を、図面に基づいて本発明の作用を示して簡単に説明する。
【００１９】
本発明の手動運搬除雪具は、横杆部21の中央部若しくは横杆部21の中央部に設けた前記取付部３より露出する光源５を、電源４により発光させて少なくとも除雪作業場所を照らすことができる。
【００２０】
そのため、夜間の除雪作業においても、光源５の発光によって視界を良好に確保でき、視界の悪い暗闇で除雪作業を行う場合と比べて目標の雪を効率良く除去できることとなるので、除雪作業が捗る。
【００２１】
また、横杆部21の中央部に光源５を配置したため、たとえ一個の光源５でもバケット体１先端側の除雪作業場所の広い範囲をまんべんなく照らすことができる。
【００２２】
また、夜間の除雪作業中、光源５の発光が作業者に近づく車両の運転者に視認されることで事故防止にも役立つ。
【００２３】
また、電源４と光源５との双方を横杆部21の中央部若しくは横杆部21の中央部に設けた取付部３に配したため、通常この種の手動運搬除雪具は、横杆部21の左右部を握持して操作するが、この操作に電源４や光源５が邪魔にならず、既存の製品と同等の操作性を発揮することになる。しかも、電源４と光源５との配線構造が容易に設計実現可能であると共に、例えば、後述の実施例のように、この光源５のオン・オフ制御用の操作部７を横杆部21の中央部若しくは横杆部21の中央部に設けた取付部３に設けることも容易に可能で、このように構成することにより光源５のオン・オフ操作も横杆部21を握持している手の手元で容易に行えるので、非常に実用的となる。
【００２４】
また、電源４は、前記柄杆２の後端の横杆部21の中央部に若しくはこの横杆部21の中央部に設けた取付部３に内装してあるため、体裁良好であると共に、電源４が必要以上に外方に突出するような構成でないため、この電源４を内装する横杆部21の中間部若しくは横杆部21の中間部に設けた取付部３が著しく握りにくくなるようなこともない。
【実施例１】
【００２５】
本発明の具体的な実施例１について図１〜図４に基づいて説明する。
【００２６】
本実施例の手動運搬除雪具は、図１に示すように、バケット体１の左右両端部に、パイプ材を平面視コ字状に屈曲形成して成る柄杆２の左右の縦杆部20の遊離先端側部を付設して、このバケット体１の後端部に、柄杆２を平面視コ字状に突設すると共に、側面視で柄杆２をバケット体１の後端部から斜め上方へ向けて突設した構成としている。尚、請求項１中の「柄杆」なる記載は、無垢の杆材で構成されたものだけを意味するのではなく、本実施例のようにパイプ材で構成したものも含む意味合いで用いている。
【００２７】
本実施例では、前記柄杆２の後端の横杆部21の中央部に取付部３を設け、この取付部３に電源４を内装すると共に、この電源４により発光する光源５を取付部３の表面に露出状態に設けて、この取付部３から露出する光源５により少なくとも除雪作業場所、即ちバケット体１先端部より前方を照らせるように構成している。
【００２８】
具体的には、本実施例の取付部３は、図２〜図４に示すように、略ラグビーボール形を呈する丸パイプに形成して、この取付部３も横杆部21と同様に握持できるように構成し、この丸パイプ状の取付部３を横杆部21に被嵌して横杆部21の中央部に配置している。
【００２９】
また、この取付部３の中程の肉厚部分の周面に、開閉蓋３Ａを開閉自在に設け、この開閉蓋３Ａを開放した内部に電池ケース６を収納配設し、この電池ケース６に乾電池４（電源４）を装着して開閉蓋３Ａを閉塞することにより、取付部３の肉厚部分に電源４を内装した構成としている。また、開閉蓋３Ａを開放して電源４の交換も行える構成である。
【００３０】
また、この取付部３の中程の肉厚部分の他の周面（開閉蓋３Ａより取付部３の周方向に間隔を置いた他の周面）には、例えば白熱電球やハロゲンランプやＬＥＤランプなどの小型ランプを採用した光源５をその光照射先端が取付部３周面より露出するようにして設け、更に、この取付部３の中程の肉厚部分の他の周面（開閉蓋３Ａ及び光源５との双方より取付部３の周方向に間隔を置いた他の周面）には、オン・オフ制御用の操作部（押動スイッチ）７を設けている。
【００３１】
即ち、本実施例では、取付部３の中程の肉厚部分の周面に、その周方向に間隔を置いて開閉蓋３Ａと光源５と操作部７とを並設状態に設けている。
【００３２】
そして、操作部７を介して前記電池ケース６（電源４）と光源５とを電気的に接続し、この操作部７の操作によって光源５の発光（点灯）をオン・オフ制御できる構成としている。図中符号８は電池ケース６と光源５とを接続する導線である。
【００３３】
尚、図面では、光源５を一個だけ設けた場合を示したが、この光源５を横杆部21の中央部に配置したため、一個であってもバケット体１先端側の除雪作業場所の広い範囲をまんべんなく照らすことができる（図１参照。）。また、この光源５を複数個設けても良い。
【００３４】
また、光源５を点滅させる回路を組み込んで、点滅発光による夜間の事故防止効果の向上を図っても良い。
【００３５】
また、本実施例では、前記横杆部21の左右部の径寸法を、前記柄杆２の他の部位の径よりも径大に形成して径大握持杆部22に構成し、この左右の径大握持杆部22間の横杆部21の中央部に前記取付部３を設けている。
【００３６】
この径大握持杆部22は、径小な杆部に比べて握り易く力を加え易い（力を入れて握ることができる）ので、力強く本手動運搬除雪具を操作できることになる。即ち、通常、作業者が両手で握持操作する横杆部21の左右部を径大握持杆部22とし、この左右の径大握持杆部22間の径小部分（横杆部21の中央部）に前記取付部３を被嵌装着している。
【００３７】
また、この左右の径大握持杆部22に隣接する取付部３の両端部の径寸法を、径大握持杆22の径寸法と略同径寸法に設定して体裁を整えると共に、この隣接部に大きな段差などを有しないことで取付部３付近での操作感を良好にしている。
【００３８】
また、本実施例の径大握持杆部22は、取付部３を除いた横杆部21の左右部から屈曲角部を介して縦杆部20の基部に至るまで設けて、作業者の好みの位置を握持操作できるように構成している。
【００３９】
更に詳しくは、取付部３を除いた横杆部21の左右部から屈曲角部を介して縦杆部20の基部に至るまでの柄杆２部位にパイプ状の被嵌体22Ａ被嵌固定することで、柄杆２より径大となる径大握持杆部22を形成している。
【００４０】
この被嵌体22Ａは、例えば、ゴム製や木製や樹脂製のように、ある程度硬度があって簡単に凹み変形しない素材を採用すると、握持し易く好ましい。また、滑り止め作用を有する素材で構成したり、表面に滑り止め加工を施しても良い。
【００４１】
また、本実施例では、前記光源５は、前記横杆部21に対して角度調整自在に設けて、この光源５の角度調整により照らす場所を変更可能としている。
【００４２】
具体的には、横杆部21に被嵌した取付部３は、この横杆部21を軸にして且つ横杆部21外周面と取付部３内周面との摩擦に抗して例えば３６０度回動可能となるように、例えばこの横杆部21の外径寸法と取付部３の内径寸法とを設定構成し、これにより取付部３を回動させて光源５の角度調整を行えると共に、横杆部21外周面と取付部３内周面との摩擦により、光源５を任意の位置に位置決めできるように構成している。
【００４３】
本実施例では、取付部３が回動することで光源５が横杆部21に対して角度を変える構成とした場合を示したが、取付部３が回動せずに取付部３に対して光源５が角度調整可能となる構成を採用しても良いし、その他の角度調整構造を採用しても良い。
【実施例２】
【００４４】
本発明の具体的な実施例２について図５に基づいて説明する。
【００４５】
本実施例は、前記実施例１において、前記取付部３を二分割したようなハーフパイプ形の二体の取付半体30で成る取付部３を採用し、この二体の取付半体30を横杆部21の中央部に被嵌して接合することで、横杆部21の中央部に取付部３を設けた場合である。
【００４６】
この本実施例の取付部３も、前記実施例１と同様の構造により電源４と光源５とが設けてある。
【００４７】
また、この各取付半体30の接合構造は、各取付半体30の両端部の前後に連結片部30Ａを突設して各取付半体30をひとつに（パイプ状に）合わせるとこの各連結片部30Ａが重合する構成とし、更に、この重合する各連結片部30Ａには、重合時に連通する連結孔30Ｂを貫通形成してあって、この連通する各連結孔30Ｂにビス９を挿通してナット10止めすることで、各取付半体30同士を接合する構造としている。
【００４８】
また、本実施例では、このビス９とナット10との螺着状態を少し緩めることで取付部３を横杆部21に対して回動させることができるように設け、これにより実施例１と同様に光源５の角度調整を行うことができる構成としている。角度調整後はビス９・ナット10を再び締め付けて位置決めする。
【００４９】
その他の構成は、前記実施例１と同様である。
【００５０】
このように構成した本実施例によれば、横杆部21に対して簡単に取付部３を組み付け可能であるので、量産性に秀れる。
【実施例３】
【００５１】
本発明の具体的な実施例３について図６，図７に基づいて説明する。
【００５２】
本実施例は、前記実施例１において、前記取付部３を有せず、図６に示すように、横杆部21の中央部に直接前記電源４を埋設状態に内装すると共に、この電源４により発光する光源５も横杆部21の中央部に直接露出状態に設けた場合である。
【００５３】
具体的には、横杆部21の中央部の周面の一部を切欠すると共に、その切欠片を開閉蓋21Ｂとして開閉自在に設け、この開閉蓋21Ｂを開放した横杆部21の中央部内に電池ケース11を収納配設し、この電池ケース11に乾電池４（電源４）を装着して開閉蓋21Ｂを閉塞することにより、横杆部21の中央部に電源４を内装した構成としている。また、開閉蓋21Ｂを開放して電源４の交換も行える構成である。
【００５４】
また、この横杆部21の中央部の他の周面（開閉蓋21Ｂより横杆部21の周方向に間隔を置いた他の周面）には、例えば白熱電球やハロゲンランプやＬＥＤランプなどの小型ランプを採用した光源５（図面では一個の光源５を示したが、複数個設けても良い。）をその光照射先端が横杆部21周面より露出するようにして設け、更に、この横杆部21の中央部の他の周面（開閉蓋21Ｂ及び光源５との双方より横杆部21の周方向に間隔を置いた他の周面）には、オン・オフ制御用の操作部（押動スイッチ）７を設けている。
【００５５】
即ち、本実施例では、横杆部21の中央部の周面に、その周方向に間隔を置いて開閉蓋21Ｂと光源５と操作部７とを並設状態に設けている。
【００５６】
そして、操作部７を介して前記電池ケース11（電源４）と光源５とを電気的に接続し、この操作部７の操作によって光源５の発光（点灯）をオン・オフ制御できる構成としている。
【００５７】
その他の構成は、前記実施例１と同様である。
【００５８】
このように構成した本実施例によれば、取付部３を要しない分、他の実施例に比して部品コスト安に構成可能となる。また、本実施例では、柄杆２をパイプ材で構成したため、前記した電源４の内装構造も光源５の設置構造も電源４と光源５との配線構造も容易に設計実現可能である。
【００５９】
尚、本実施例では、光源５の角度調整構造を設けていないが、角度調整構造を設けても良い。
【実施例４】
【００６０】
本発明の具体的な実施例４について図８，図９に基づいて説明する。
【００６１】
本実施例は、前記実施例１において、横杆部21の中央部を所定長さ切除し、この切除部分に取付部３を介存する構成とした場合である。
【００６２】
具体的には、取付部３の両端部に上下方向に貫通する固定孔30Ｃを貫通形成する一方、横杆部21の各切断端部にも上下方向に貫通する合わせ孔21Ａを貫通形成し、この取付部３の両端部を横杆部21の各切断端部に被嵌接続して前記固定孔30Ｃと前記合わせ孔21Ａとを連通させ、この連通する固定孔30Ｃと合わせ孔21Ａとにビス９を挿通してナット10止めすることで、取付部３を横杆部21の中央部の切除部分に介在固定する構造としている。
【００６３】
また、本実施例では、前記固定孔30Ｃを取付部３の周方向に長さを有する長孔に形成し、前記ビス９とナット10との螺着状態を少し緩めることで、この固定孔30Ｃ（長孔）に許容される範囲内で取付部３を回動させることができるように設け、これにより光源５の角度調整を行うことができる構成としている。角度調整後はビス９・ナット10を再び締め付けて位置決めする。
【００６４】
その他の構成は、前記実施例１と同様である。
【００６５】
尚、本発明は、実施例１〜４に限られるものではなく、各構成要件の具体的構成は適宜設計し得るものである。
【図面の簡単な説明】
【００６６】
【図１】実施例１を示す斜視図である。
【図２】実施例１の取付部の電源の内装構造を示す部分拡大説明斜視図である。
【図３】実施例１の光源の角度調整構造を示す部分拡大説明側断面図である。
【図４】図３から光源の角度を変更した状態を示す部分拡大説明側断面図である。
【図５】実施例２の要部を示す部分拡大説明分解斜視図である。
【図６】実施例３の要部を示す部分拡大説明斜視図である。
【図７】実施例３の要部を示す部分拡大説明平断面図である。
【図８】実施例４の要部を示す部分拡大説明分解斜視図である。
【図９】実施例４の要部を示す部分拡大説明平断面図である。
【符号の説明】
【００６７】
１  バケット体
２  柄杆
３  取付部
４  電源
５  光源
20  縦杆部
21  横杆部
22  径大握持杆部
【図１】
2008138426.tif 000003
【図２】
2008138426.tif 000004
【図３】
2008138426.tif 000005
【図４】
2008138426.tif 000006
【図５】
2008138426.tif 000007
【図６】
2008138426.tif 000008
【図７】
2008138426.tif 000009
【図８】
2008138426.tif 000010
【図９】
2008138426.tif 000011